【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
ヘッドの前面側において外面を有し、縁端により画定され、かつ、最高応答領域を有する、アイアンタイプフェースと、
フェースに接続され、フェースの縁端から後方に延び、かつ、上部、ソール、ヒール、およびトウを有する、アイアンタイプゴルフクラブボディと、
ボディのソールに位置し、かつ、フェースの下縁端と概して平行に延びる、細長いソールチャネルと、
該外面に形成され、フェースのヒール区域に位置する、第一のチャネルであって、フェースの下部区域に位置してフェースの下縁端から間隔の空いた第一の端部を有し、フェースの上縁端へ向けて上向きに延び、第一の端部に比べフェースの上縁端により近接した第二の端部を有し、かつ、フェースの最高応答領域には位置しない、前記第一のチャネルと、
該外面に形成され、フェースのトウ区域に位置する、第二のチャネルであって、フェースの下部区域に位置してフェースの下縁端から間隔の空いた第一の端部を有し、フェースの上縁端へ向けて上向きに延び、第一の端部に比べフェースの上縁端により近接した第二の端部を有し、かつ、フェースの最高応答領域には位置しない、前記第二のチャネルと
を含む、アイアンタイプゴルフクラブヘッドであって、
第一のチャネルおよび第二のチャネルは細長く、互いに概して平行に方向付けられており、
第一のチャネル、第二のチャネル、およびソールチャネルは、すべて、少なくとも部分的に、フェースの材料の可撓性よりも大きい可撓性を有する可撓性材料で満たされている、
前記アイアンタイプゴルフクラブヘッド。
【請求項２】
第一および第二のチャネルのそれぞれが、フェースの厚みの一部分を通って、内向きに、前記外面から延びる、請求項1記載のアイアンタイプゴルフクラブヘッド。
【請求項３】
第一および第二のチャネルのそれぞれが、フェースの厚み全体を通って、前記外面から延びる、請求項1記載のアイアンタイプゴルフクラブヘッド。
【請求項４】
ソールチャネルが、ソールにおける細長い陥凹を含む、請求項1記載のアイアンタイプゴルフクラブヘッド。
【請求項５】
ボディが、ヘッドの前面側とは反対の後部側において、後部キャビティを有する、請求項1記載のアイアンタイプゴルフクラブヘッド。
【請求項６】
第一および第二のチャネルが、ともに、可撓性材料で完全に満たされている、請求項1記載のアイアンタイプゴルフクラブヘッド。
【請求項７】
第一および第二のチャネルのいずれの部分も、フェースの幾何学的中心から1.5インチ距離以内には延びていない、請求項1記載のアイアンタイプゴルフクラブヘッド。
【請求項８】
フェースが、ボールを打つように構成され、かつフェース溝を有する打球面を含み、第一および第二のチャネルが、ともに、打球面に位置し、かつフェース溝と交差する、請求項1記載のアイアンタイプゴルフクラブヘッド。
【請求項９】
フェースの最高応答領域が、第一のチャネルおよび第二のチャネルに向かって一方向に拡大し、ソールチャネルが、フェースの最高応答領域を、フェースの下縁端に向かって一方向に拡大させる、請求項1記載のアイアンタイプゴルフクラブヘッド。
【請求項１０】
請求項1記載のアイアンタイプゴルフクラブヘッドと、該ヘッドに接続され、ユーザによる把持のために構成されたシャフトとを備える、アイアンタイプゴルフクラブ。
【請求項１１】
ヘッドの前面側において外面を有し、縁端により画定され、かつ、幾何学的中心を有する、アイアンタイプフェースと、
フェースに接続され、フェースの縁端から後方に延び、かつ、上部、ソール、ヒール、およびトウを有する、アイアンタイプゴルフクラブボディであって、ヘッドの前面側とは反対の後部側において、後部キャビティをさらに有する、前記ボディと、
ボディのソールに位置し、かつ、フェースの下縁端に沿って延びる、細長いソールチャネルと、
該外面に形成され、フェースのヒール区域に位置する、第一の細長いチャネルであって、フェースの低ヒール区域に位置してフェースの下縁端から間隔の空いた第一の端部を有し、フェースの上縁端へ向けて上向きに延び、かつ、第一の端部に比べフェースの上縁端により近接した第二の端部を有する、前記第一のチャネルと、
該外面に形成され、フェースのトウ区域に位置する、第二の細長いチャネルであって、フェースの低トウ区域に位置してフェースの下縁端から間隔の空いた第一の端部を有し、フェースの上縁端へ向けて上向きに延び、かつ、第一の端部に比べフェースの上縁端により近接した第二の端部を有する、前記第二のチャネルと
を含む、アイアンタイプゴルフクラブヘッドであって、
第一および第二のチャネルのいずれの部分も、フェースの幾何学的中心から1.5インチ距離以内には延びておらず、
第一のチャネル、第二のチャネル、およびソールチャネルは、すべて、フェースの材料の可撓性よりも大きい可撓性を有する可撓性材料を含む、
前記アイアンタイプゴルフクラブヘッド。
【請求項１２】
第一および第二のチャネルのそれぞれが、フェースの厚みの一部分を通って、内向きに、前記外面から延びる、請求項11記載のアイアンタイプゴルフクラブヘッド。
【請求項１３】
第一および第二のチャネルのそれぞれが、フェースの厚み全体を通って、前記外面から延びる、請求項11記載のアイアンタイプゴルフクラブヘッド。
【請求項１４】
ソールチャネルが、ソールにおける細長い陥凹を含む、請求項11記載のアイアンタイプゴルフクラブヘッド。
【請求項１５】
フェースが、ボールを打つように構成され、かつフェース溝を有する打球面を含み、第一および第二のチャネルが、ともに、打球面に位置し、かつフェース溝と交差する、請求項11記載のアイアンタイプゴルフクラブヘッド。
【請求項１６】
第一および第二のチャネルが細長く、互いに概して平行に方向付けられており、ソールチャネルが、フェースの下縁端と概して平行に延びる、請求項11記載のアイアンタイプゴルフクラブヘッド。
【請求項１７】
請求項11記載のアイアンタイプゴルフクラブヘッドと、該ヘッドに接続され、ユーザによる把持のために構成されたシャフトとを備える、アイアンタイプゴルフクラブ。
【請求項１８】
ヘッドの前面側において外面を有し、縁端により画定され、かつ、最高応答領域を有する、アイアンタイプフェースと、
フェースに接続され、フェースの縁端から後方に延び、かつ、上部、ソール、ヒール、およびトウを有する、アイアンタイプゴルフクラブボディであって、ヘッドの前面側とは反対の後部側において、後部キャビティをさらに有し、これによりフェースの内面が後部キャビティ内に位置する、前記ボディと、
該外面に形成され、該外面から該内面へ、フェースの厚みを完全に通って延びる、フェースのヒール区域に位置する第一のチャネルであって、フェースの低ヒール区域に位置してフェースの下縁端から間隔の空いた第一の端部を有し、フェースの上縁端へ向けて上向きに延び、かつ、第一の端部に比べフェースの上縁端により近接した第二の端部を有する、前記第一のチャネルと、
該外面に形成され、該外面から該内面へ、フェースの厚みを完全に通って延びる、フェースのトウ区域に位置する第二のチャネルであって、フェースの低トウ区域に位置してフェースの下縁端から間隔の空いた第一の端部を有し、フェースの上縁端へ向けて上向きに延び、かつ、第一の端部に比べフェースの上縁端により近接した第二の端部を有する、前記第二のチャネルと
を含む、アイアンタイプゴルフクラブヘッドであって、
第一のチャネルおよび第二のチャネルは細長く、互いに概して平行に方向付けられており、
第一および第二のチャネルは、ともに、フェースの材料の可撓性よりも大きい可撓性を有する可撓性材料で満たされており、
第一のチャネルは、フェースの最高応答領域に位置しておらず、
第一および第二のチャネルのいずれの部分も、フェースの幾何学的中心から1.5インチ距離以内には延びていない、
前記アイアンタイプゴルフクラブヘッド。
【請求項１９】
ボディのソールに位置し、フェースの下縁端と概して平行に延びる、細長いソールチャネルをさらに含む、請求項18記載のアイアンタイプゴルフクラブヘッド。
【請求項２０】
ソールチャネルが、可撓性材料で少なくとも部分的に満たされている、請求項19記載のアイアンタイプゴルフクラブヘッド。
【請求項２１】
請求項18記載のアイアンタイプゴルフクラブヘッドと、該ヘッドに接続され、ユーザによる把持のために構成されたシャフトとを備える、アイアンタイプゴルフクラブ。